(57)【特許請求の範囲】
【請求項１】
咥え胴と折り胴とが設けられ上記咥え胴及び上記折り胴の協働によりシートを折り畳んで折帳とする折部と、
上記折部で折られた折帳を順に積み重ねて排紙する排紙部と、
上記折部から上記排紙部への折帳の搬送経路に設けられ、折帳を上記折部の上記咥え胴から受け取り上記排紙部へ搬送する搬送コンベアとを備える輪転印刷機の折機であって、
上記搬送コンベアは、上記咥え胴側端部に折帳搬入部を有しており、
上記折帳搬入部は、上記咥え胴の下方において、上記咥え胴の外周面に係合して折帳を案内するよう上記折帳搬入部が上記咥え胴に接近した状態となる姿勢と、折帳が上記搬送コンベアに受け渡されることのないよう上記折帳搬入部が上記咥え胴から離隔した状態となる姿勢とに揺動するように支点軸を有し、上記咥え胴から離隔した状態となる姿勢に設定されることにより、折帳を通常の搬送経路外へ排出する排出装置となる
ことを特徴とする、輪転印刷機の折機。
【請求項２】
上記折帳搬入部は、
上記支点軸を支点として揺動するアームを備え、上記アームの先端にベルトローラを回転自在に取り付け、上記搬送コンベアのベルトを巻き掛けることにより上記折機搬入部の先端部を構成するとともに、
上記アームに連結されて上記折帳搬入部を揺動させ、上記接近した状態と上記離脱した姿勢とを選択可能とするアクチュエータを備え、
上記アクチュエータを作動させることにより、上記折帳搬入部が上記咥え胴に接近した状態では折帳は上記咥え胴から上記搬送コンベアに受け渡され、上記折帳搬入部が上記咥え胴から離隔した状態では折帳は上記咥え胴から上記搬送コンベア外部へ排出される
ことを特徴とする、請求項１記載の輪転印刷機の折機。
【請求項３】
上記折帳搬入部の作動を制御する制御装置を備え、
上記制御装置は印刷機の運転開始時に上記折帳搬入部の作動を自動選択し、折帳の搬送タイミングに対応して上記折帳搬入部を動作させるように構成されている
ことを特徴とする、請求項１又は２に記載の輪転印刷機の折機。
【発明の詳細な説明】
【０００１】
【発明の属する技術分野】
本発明は、オフセット輪転印刷機等に設備される折機に関し、詳しくは輪転印刷機の立ち上がり時等における折機での不良折帳の紙詰まり防止技術に関する。
【０００２】
【従来の技術】
商業用オフセット輪転機は一般的に給紙部、印刷ユニット部、乾燥部、冷却部、及び折機から構成されている。このうち折機には、上流から搬送されるシートを折り畳んで折帳とする折部と、折部で折られた折帳を順に積み重ねて排紙する排紙部とが設けられている。ここで、図３は一般的な商業用オフセット輪転機に設けられる従来の折機の概略構成を示す図である。
【０００３】
印刷ユニット部において印刷を終えたウェブ（帯状の連続紙）５は、折機２の入口部に設けられたスリッタ４５にて切断され（或いはそのまま連続紙として）、三角板４６に搬入されて折り畳まれる。次に、ウェブ５がスリッタ４５にて切断され三角板４６で折り畳まれて形成されたシート１７は、三角板４６の下方に配設されたリードインローラ３ａ，３ｂ並びにニッピングローラ４ａ，４ｂに狭持されながら折部、すなわち咥え胴８と折胴９の中間へ送り込まれる。咥え胴８には咥え装置２２が設けられるとともに、ゴム等の弾性体で形成したゴム台２４が外周面へ軸方向に沿って設けられている。一方、折胴９には鋸状のナイフ（鋸刃）２３、アーム先端に針１８を備えた針装置、及び折ブレード２６が設けられている。咥え胴８と折胴９とは通常同じ直径を持ち、ナイフ２３とゴム台２４とが対応し、咥え装置２２と折ブレード２６とが対応するよう位相が設定された状態で同期して回転すべく構成されている。
【０００４】
針装置の針１８は折胴９の回転と連動して所定の位相位置において折胴９の外周面から出入りするようになっている。つまり、シート１７がナイフ２３とゴム台２４にて切断される直前に折胴９の表面から飛び出して後続するシート１７の先端を突き刺し、切断後のシート１７を引き込んで折胴９の外周面へ巻き付けるべく機能している。折胴９の回転によりシート１７の中央部が咥え装置２２に対応する位置に近づくと、上記した針１８は次第に抜け、シート１７は折ブレード２６によって開口した咥え装置２２の爪部へ押し込まれ把持される。続いて、略９０度後方の位置ではシート１７をナイフ２３によって切断するとともに、針１８が後続する下流側シート１７の先端を突き刺すようになっている。
【０００５】
なお、折ブレード２６は折胴９に組み込まれた折軸に固設されており、折胴９の回転と連動して所定の位相位置において折胴９から出入りするようになっている。また、折ブレード２６は、咥え胴８の咥え装置２２に対応する位置で折胴９に巻きつけられたシート１７を咥え装置２２の爪部に押し込み、中央で二つ折りにすべく機能している。咥え装置２２は折胴９の折ブレード２６により押し込まれたシート１７を咥えこみ、横折して折帳７として搬送コンベア１０，１３の中間へ移送している。
【０００６】
搬送コンベア１０，１３による折部から排紙部である排紙装置２１への搬送途中にはチョッパ折装置１９が設けられている。このチョッパ折装置１９は揺動アームを介して昇降するチョッパブレード３２，折り込みローラ２０ａ，２０ｂ及び位置決め板４７から構成され、搬送コンベア１０，１３を介して搬送された折帳７に対し、位置決め板４７にて位置決めを行い所定のタイミングでチョッパブレード３２を振り下ろして搬送方向に沿って折り畳んだ後、下方の折り込みローラ２０ａ，２０ｂの中間に挿入させるよう機能している。折り込みローラ２０ａ、２０ｂは折帳７を狭持して直下部に位置する羽根車１４に投入するようになっている。なお、チョッパ折装置１９を使用しない場合には、折帳７は搬送コンベア１０，１３を介して搬送された後に羽根車１１に投入される。
【０００７】
排紙装置２１は、上記羽根車１４，１１と排紙コンベア１２とから構成されている。羽根車１４，１１は、複数枚のブレード（羽根）にて構成され、幅方向に複数列配置されている。羽根車１４，１１で受け取られた折帳７は所定のピッチで排紙コンベア１２上へ移載され、屋根瓦状に積み重ねられて外部へ搬出される。羽根車１４、１１の回転数は咥え胴８から搬送コンベア１０，１３への折帳７の投入速度に対応しており、羽根車１４，１１の速度と排紙コンベア１２の走行速度比によって排紙コンベア１２上に並べる折帳７の積重ピッチが決定される。
【０００８】
【発明が解決しようとする課題】
ところで、従来の折機２では、咥え胴８の回転と同期走行する下側搬送コンベア１０と上側搬送コンベア１３とはともに位置固定的に配設されており、折胴９と咥え胴８との協働により折り畳まれた折帳７は、折り畳まれた直後から羽根車１１或いはチョッパ折後の羽根車１４へ投入されるまで、上下搬送ベルト１０，１３によって完全に拘束される。
【０００９】
しかしながら、輪転印刷機の運転においては、ジョブ替え時に新たにウェブ５を折機に入れ直す場合や、旧紙に新紙を紙継ぎしてウェブ５が新旧交換される場合がある。また、紙通しをした状態で長時間輪転印刷機を停止した時等には、湿ったウェブ５が折機２に搬入される場合がある。これらの場合には、折胴９と咥え胴８との間で本来断裁されるべきところが切断されなかったり、紙通し時のウェブ５の蛇行や引っ掛かり等に起因して所定の紙幅で折られなかったりすることが多い。そしてこれらが原因となってチョッパ折装置１９や羽根車１１，１４において紙詰まりを起こす可能性が高かった。
【００１０】
このため、従来は、運転開始前の緩動運転時にウェブ５の断裁や折り幅が安定するまで、搬送されてきた不良の折帳７を搬送コンベア１０上から人手で強制的に取り除いていた。したがって、専用の人員（オペレータ）を準備する必要があった。また、紙詰りが発生した時には、構造上修理等の作業性が良くないためメンテナンスも困難で生産効率が低下してしまうという課題もあった。
【００１１】
本発明は、このような課題に鑑み創案されたもので、輪転印刷機の立ち上がり時等において発生する不良折帳による紙詰まりを防止できるようにした輪転印刷機の折機を提供することを目的とする。
【００１２】
【課題を解決するための手段】
上記目的を達成するために、本発明の輪転印刷機の折機は、咥え胴及び折り胴の協働によりシートを折り畳んで折帳とする折部と、折部で折られた折帳を順に積み重ねて排紙する排紙部との間に、折帳を咥え胴から受け取り排紙部へ搬送する搬送コンベアが設けられた構成において、搬送コンベアの咥え胴側端部の折帳搬入部を揺動させることにより折帳を通常の搬送経路外へ排出する排出装置が設けられたことを特徴としている。このような構成によれば、通常運転時における折帳を搬送する通常の搬送経路と、輪転印刷機の立ち上がり時等において発生する不良折帳を排出する通常の搬送経路外とを選択でき、不良折帳が排紙部その他の装置に投入されることによる紙詰まり等の不具合の発生を防止することができる。
【００１３】
つまり、上記排出装置は、搬送コンベアの折帳搬入部を咥え胴に対して接離させる装置とする。より詳しくは、折帳搬入部は、咥え胴の下方において、咥え胴の外周面に係合して折帳を案内するよう折帳搬入部が咥え胴に接近した状態となる姿勢と、折帳が搬送コンベアに受け渡されることのないよう折帳搬入部が咥え胴から離隔した状態となる姿勢とに揺動するように支点軸を有し、咥え胴から離隔した状態となる姿勢に設定されることにより、折帳を通常の搬送経路外へ排出する排出装置となる。
そして、折帳搬入部は、支点軸を支点として揺動するアームを備え、アームの先端にベルトローラを回転自在に取り付け、搬送コンベアのベルトを巻き掛けることにより折機搬入部の先端部を構成するとともに、アームに連結されて折帳搬入部を揺動させ、接近した状態と離脱した姿勢とを選択可能とするアクチュエータを備え、アクチュエータを作動させることにより、折帳搬入部が咥え胴に接近した状態では折帳は咥え胴から搬送コンベアに受け渡され、折帳搬入部が咥え胴から離隔した状態では折帳は咥え胴から搬送コンベア外部へ排出されることが好ましい。
【００１５】
また、上記折帳搬入部の作動を制御する制御装置を備え、印刷機の運転開始時に折帳搬入部の作動を自動選択し、折帳の搬送タイミングに対応して折帳搬入部を動作させるような制御を行ってもよい。これにより輪転印刷機の立ち上がり時における折帳搬入部の作動を自動化することができ、折帳搬入部を操作するための専用の人員が不要となって無人化が可能となる。なお、より好ましくは、輪転印刷機が運転開始前に特定の運転状態にあった場合に折帳搬入部を作動させるようにする。特定の運転状態とは例えば長時間休止、ジョブ替え、或いは紙継ぎ等の運転状態であり、このような運転状態であった場合には、その運転状態を示す信号と運転開始信号が入力された場合に、折帳搬入部を作動させるようにする。
【００１６】
【発明の実施の形態】
以下、図面を参照して本発明の実施の形態を説明する。
図１は本発明の一実施形態にかかる輪転印刷機の折機の要部構成を示す概略図である。なお、ここでは図３に示した従来の一般的な商業用オフセット輪転機に本発明を適用しており、図中において従来と同一の部位については同一の符号を付して示している。
【００１７】
本実施形態にかかる折機１Ａは、従来の折機における咥え胴８の下方において、咥え胴８の外周面に係合して折帳７を案内する下側搬送コンベア１０の折帳搬入部１０ａを咥え胴８に対して接離（着脱）できるよう構成し、通常運転時における搬送コンベア１０，１３への折帳７の搬送と、特定運転時における搬送コンベア１０，１３外部への不良折帳の排出とを選択できるような構造とすることで、折部から排紙部への折帳７の搬送経路において選択により折帳７を通常の搬送経路外へ排出する排出装置を実現したものである。
【００１８】
具体的には、本実施形態では、下側搬送コンベア１０の折帳搬入部１０ａに軸１５を支点として揺動するアーム２７を設け、このアーム２７の先端にベルトローラ６を回転自在に取り付け下側搬送コンベア１０のベルトを巻き掛けて折帳搬入部１０ａの先端部としている。アーム２７の一部にはピン２８を介してエアシリンダ２９のヘッド部を連結させ、エアシリンダ２９の後端は支点軸３０を介して図示略のフレームに取り付けている。これによりエアシリンダ２９を作動させることで折帳搬入部１０ａは軸１５を支点として揺動し、咥え胴８に対して接離するようになっている。なお、ベルトローラ６は、エアシリンダ２９の作動による折帳搬入部１０ａの揺動に際して下側搬送コンベア１０のベルトの張り過ぎや弛みが発生しないよう軌跡が設定されている。この機能は、別位置においてベルトテンション調整ローラを設ける等他の方法にて代替することも可能である。
【００１９】
また、折胴９の下方にはシートガイド３１，３３が設けられている。これらシートガイド３１，３３は共に折胴９の外周面に沿って移送されるシート１７を安定的に案内すべく機能している。なお、咥え胴８と折胴９とのニップ出口に位置するシートガイド３１は、アーム２７の先端部に固定されており、エアシリンダ２９の作動によりアーム２７と一体的に揺動するようになっている。
【００２０】
次に、上述のように構成された折機１Ａの動作について図２の動作説明図を用いて説明する。エアシリンダ２９を作動させることで、下側搬送コンベア１０の折帳搬入部１０ａの姿勢として、図２（ａ）に示すように咥え胴８に接近した状態（着状態）と図２（ｂ）に示すように咥え胴８から離脱した状態（脱状態）の何れかの状態が選択される。
【００２１】
通常の印刷運転時には、図２（ａ）に示すように下側搬送コンベア１０の折帳搬入部１０ａは咥え胴８に接近した着状態に設定される。この状態では、咥え胴８と折胴９の中間へ送り込まれたシート１７は、咥え胴８と折胴９との協働により切断されると共に進行方向中央で二つ折りされ、折帳７が形成される。形成された折帳７は咥え胴８に把持されて咥え胴８から搬送コンベア１０，１３に受け渡され、従来の折機と同様に羽根車或いはチョッパ折装置と羽根車を経由して排紙コンベア上へ積み重ねられて外部へ搬出される。
【００２２】
一方、輪転印刷機の立ち上がり時等、不良折帳７が発生する状況においては、図２（ｂ）に示すように下側搬送コンベア１０の折帳搬入部１０ａは咥え胴８から離脱した脱状態に設定される。これによって、咥え胴８及び折胴９を介して送り出される不良折帳７′は搬送コンベア１０，１３に受け渡されることなく、そのまま真下に或いは下側搬送コンベア１０，シートガイド３１上を滑落して装置外へ排出される。
【００２３】
以上のように、本実施形態にかかる折機１Ａによれば、輪転印刷機の立ち上がり時等において発生する不良折帳７′を咥え胴８の下方へ自動的に落下排出させることが可能であり、下流の羽根車やチョッパ折装置での紙詰まりを防止することができる。その結果、不良折帳７′を除去するための人員が不要となるという効果や、輪転印刷機をスムーズに立ち上がらせることができるという効果や、構造上、紙詰まり等のトラブル処理が容易になって保守点検や修理等のメンテナンスが簡単になるという効果も得られる。
【００３１】
以上、本発明の実施形態について説明したが、本発明はこの実施形態に限定されるものではなく、本発明の趣旨を逸脱しない範囲で種々変形して実施することができる。例えば、上述の実施形態では折帳搬入部１０ａを揺動させるための手段としてエアシリンダ２９を用いているが、折帳搬入部１０ａの姿勢として少なくとも着状態と脱状態とを選択可能であれば他のアクチュエータを用いてもよい。
【００３３】
また、折機の排出装置（即ち、折帳搬入部）を電気的な制御により輪転印刷機と連動させるようにしてもよい。すなわち、排出装置の作動を自動制御する制御装置を設け、輪転印刷機の運転開始時に輪転印刷機から運転開始信号が入力されると排出装置の作動を自動選択し、折帳の搬送タイミングに対応して排出装置を動作させるようにする。このような制御を行うことで、輪転印刷機の立ち上がり時における排出装置の作動を自動化することができ、排出装置を操作するための専用の人員が不要となって無人化が可能となる。
【００３４】
なお、上記のように排出装置の作動を自動制御する場合、排出装置の作動は輪転印刷機が運転開始前に特定の運転状態（例えば長時間休止、ジョブ替え、或いは紙継ぎ等の不良折帳が発生しやすい運転状態）にあった場合に限定してもよい。この場合は、特定運転状態を示す信号と運転開始信号とが輪転印刷機から制御装置に入力された場合にのみ排出装置を作動させる。
【００３５】
【発明の効果】
以上詳述したように本発明の輪転印刷機の折機によれば、排出装置の作動を選択することによって、輪転印刷機の立ち上がり時等において発生する不良折帳を通常の搬送経路外へ排出することができ、不良折帳が排紙部その他の装置に投入されることによる紙詰まり等の不具合の発生を防止することができるという利点がある。
【図面の簡単な説明】
【図１】  本発明の一実施形態にかかる輪転印刷機の折機の要部構成を示す概略図である。
【図２】  図１の折機の動作説明図であり、（ａ）は搬送コンベアの折帳搬入部の着状態を示す図、（ｂ）は搬送コンベアの折帳版入部の脱状態を示す図である。
【図３】 一般的な商業用オフセット輪転機に設けられる従来の折機の概略構成を示す図である。
【符号の説明】
１Ａ  折機
６  ベルトローラ
７  折帳
７′  不良折帳
８  咥え胴
９  折胴
１０  下側搬送コンベア
１０ａ  折帳搬入部
１１，１４  羽根車
１２  排紙コンベア
１３  上側搬送コンベア
１７  シート
１９  チョッパ折装置
２１  排紙装置
２７  アーム
２９  エアシリンダ
３１，３３  シートガイド
【図１】
0003716205.tif 000002
【図２】
0003716205.tif 000003
【図３】
0003716205.tif 000004